(57)【要約】【課題】塗布対象毛に多量の塗布液を塗布できるようにする。【解決手段】心線にブラシ毛材を植毛してなるブラシ部材をブラシ保持部材に保持する際に、複数のブラシ間部形成柱によって先端方向に向って延長するブラシ毛材束を形成することにより、ブラシ部材及びブラシ保持部材を塗布液貯液部に浸して引き抜いてしごき部材のしごき動作がなされたとき、ブラシ毛材束間に形成された塗布液溜りに多量の塗布液を保持できるようにし、これにより塗布対象毛に濃い塗布液を塗布することができる。【選択図】図１
2007229138.tif 000002
【特許請求の範囲】
【請求項１】
心線に、縦方向に並ぶようにブラシ毛材を植毛してなるブラシ部材と、
上記ブラシ部材を組み込むことにより、上記ブラシ毛材を縦方向に向って延長する複数のブラシ毛材束に束ねることにより当該ブラシ毛材束間に縦方向に向って延長する塗布液溜りを形成する複数のブラシ間部形成柱を有するブラシ保持部材と
を有し、上記ブラシ部材及び上記ブラシ保持部材を塗布液貯液部に浸して引き抜いて上記塗布液貯液部のしごき部材のしごき動作がなされたとき、上記複数の上記ブラシ毛材束間の上記塗布液溜りに多量の塗布液をしごかれずに保持する
ことを特徴とする液塗布具。
【発明の詳細な説明】
【技術分野】
【０００１】
本発明は液塗布具に関し、特にマスカラブラシや毛染め用ブラシのように塗布対象毛にマスカラや毛染め液などの塗布液を塗布する場合に適用して好適なものである。
【背景技術】
【０００２】
従来この種の液塗布具として、例えばマスカラブラシとして、特許文献１に開示されているように、ブラシに付着させたマスカラを、まつ毛に塗布するものが用いられている。
【０００３】
このマスカラブラシとしての液塗布具Ｒ１は、図２０に示すように、塗布液容器Ｒ２の取出口Ｒ３から、キャップＲ４に固着されたシャフトＲ５の先端に設けられたブラシ本体Ｒ６を出し入れすることにより、ブラシ本体Ｒ６を塗布液としてのマスカラに浸して外部に取り出すようになされている。
【０００４】
取出口Ｒ３の内側には、柔軟性をもったゴム材でなる円筒状のしごき部材Ｒ７が設けられ、ブラシ本体Ｒ６を取出口Ｒ３から引き抜くときに、ブラシ本体Ｒ６の周囲に付着している余分な塗布液を、小さい内径を有するしごき部材Ｒ７によってしごき落とすことにより、外部に取り出したブラシ本体Ｒ６やシャフトＲ５から塗布液をぼた落ちさせないように構成されている。
【特許文献１】特開平５−２２８０１８号公報
【発明の開示】
【発明が解決しようとする課題】
【０００５】
図２０の構成によれば、しごき部材Ｒ７としてブラシ本体Ｒ６を塗布液容器Ｒ２から引き抜いたとき、芯材に植毛されたブラシ毛材Ｒ６Ａがしごき部材Ｒ７によって引抜き方向とは逆方向に押し付けられることによりその方向に一斉に倒れるような動作し、これによりブラシ本体Ｒ６の周囲に溜った余分な塗布液がしごき落とされるので、塗布液のぼた落ちを防止する機能を果し得る。
【０００６】
このように、ブラシ毛材Ｒ６Ａは、しごき部材Ｒ７を通るとき一旦一斉に倒れるが、しごき部材７を通過した後は、その復元力によって起立するので、塗布液は当該起立したブラシ毛材Ｒ６Ａの周囲に付着したまま（いわゆる濡れた状態のまま）残る。
【０００７】
しかしながら、このブラシ毛材Ｒ６Ａの表面に付着した塗布液は少量なので、まつ毛に塗布できる塗布液の量が不足するため、使用者は５回、６回と塗布操作を繰り返えさないと、まつ毛に濃い塗布液を塗布できない結果になる。
【０００８】
本発明は以上の点を考慮してなされたもので、塗布対象毛に対して１回の塗布操作で十分に濃い塗布液を塗布できるようにしたブラシ構成の液塗布具を提案しようとするものである。
【課題を解決するための手段】
【０００９】
かかる課題を解決するため本発明においては、心線３１に、縦方向に並ぶようにブラシ毛材３２を植毛してなるブラシ部材１３と、ブラシ部材１３を組み込むことにより、ブラシ毛材３２を縦方向に向って延長する複数のブラシ毛材束３２Ｘに束ねることにより当該ブラシ毛材束３２Ｘ間に縦方向に向って延長する塗布液溜り３５を形成する複数のブラシ間部形成柱２２を有するブラシ保持部材とを有し、ブラシ部材３２及びブラシ保持部材１２を塗布液貯液部３に浸して引き抜いて塗布液貯液部３のしごき部材１７のしごき動作がなされたとき、複数のブラシ毛材束３２Ｘ間の塗布液溜り３５に多量の塗布液をしごかれずに保持するようにする。
【発明の効果】
【００１０】
心線にブラシ毛材を植毛してなるブラシ部材をブラシ保持部材に保持する際に、複数のブラシ間部形成柱によって縦方向に向って延長するブラシ毛材束を形成することにより、ブラシ部材及びブラシ保持部材を塗布液貯液部に浸して引き抜いてしごき部材のしごき動作がなされたとき、ブラシ毛材束間に形成された塗布液溜りに多量の塗布液を保持でき、これにより塗布対象毛に濃い塗布液を塗布することができる。
【発明を実施するための最良の形態】
【００１１】
以下図面について、本発明の一実施の形態を詳述する。
【００１２】
（１）第１の実施の形態
図１において、１は、全体として液塗布具を示し、液塗布具本体２と塗布液貯液部３とを有する。液塗布具本体２はシャフト１１の先端部に形成されたブラシ保持部材１２によってブラシ部材１３を保持し、このブラシ保持部材１２及びブラシ部材１３によって液取出部１４を構成している。
【００１３】
液取出部１４は、ユーザによって、塗布液貯液部３を構成する塗布液容器１５の液取出口１６に設けられているしごき部１７を通して挿入されて塗布液に浸された後、液取出口１６から引き抜かれることにより、余分な塗布液をしごき落して、適度な塗布液をブラシ保持部材１２及びブラシ部材１３に付着させた状態で外部に取り出す。
【００１４】
ブラシ保持部材１２は、図２に示すように、丸棒状のシャフト１１の円形先端面２０の中心位置にブラシ取付孔２１を有し、当該ブラシ取付孔２１を中心としてその周囲に複数例えば６本のブラシ間部形成柱２２が角等間隔を保つように配設されている。
【００１５】
この実施の形態の場合、ブラシ間部形成柱２２は断面三角形状を有し、その１つの頂角がブラシ取付孔２１に対向し、かつ他の２つの頂角がブラシ取付孔２１から放射状に外方に行くに従って扇状に広がるような状態で、シャフト１１の先端面２０から先端に向う方向、すなわち縦方向に突出成形されている。
【００１６】
かくして６本のブラシ間部形成柱２２は、ブラシ取付孔２１を中心としてこれを取り囲む円周方向に互いに隣合うもの同士間にほぼ並行にかつ縦方向に延長する６本のブラシ突出空隙２３を形成している。
【００１７】
この実施の形態の場合、シャフト１１の手元側端には、キャップ２４が取り付けられ、当該キャップ２４の先端側内周面に形成された締付ねじ２５を塗布液容器１５（図１）の液取出口１６の外周面に形成された係合ねじ２６に締め付けることにより、シャフト１１を塗布液容器１５内に挿入した状態でキャップ２４を液取出口１６に液漏れなく締め付けることができる。
【００１８】
ブラシ部材１３は図３に示すように、縦方向に延長する心材３１から放射状に外方に多数のブラシ毛材３２を突出させた構成を有する。
【００１９】
この実施の形態の場合、心材３１は２本のステンレス線材をより合わせてなり、当該２本の線材間に順次長手方向に配設した多数のブラシ毛材３２を挟み込み固定した構成を有する。
【００２０】
心材３１の手元側端部３１Ｘには、ブラシ毛材３２が植毛されておらず、図４に示すように、当該手元側端部３１Ｘをブラシ保持部材１２のブラシ取付孔２１に嵌め込むことにより、ブラシ部材１３をブラシ保持部材１２と一体に組み立てられる。
【００２１】
このようにブラシ部材１３をブラシ保持部材１２と一体に組み立てる際に、ブラシ部材１３のブラシ毛材３２は、ブラシ間部形成柱２２間に形成されたブラシ突出空隙２３を通ってその先端が横方向にブラシ間部形成柱２２の外側に突き出るように、ブラシ毛材３２をそれぞれ縦方向に延長する６組の束に束ねるように成形される。
【００２２】
ブラシ毛材３２は、マスカラをまつ毛に塗布する際に適度な柔軟性を呈すると共に、ブラシ毛材３２を６箇所のブラシ突出空隙２３を通すために縦方向に６本の束を形成できるような適度の可撓性をもつような素材、例えばナイロン、ポリエステルポリプロピレンなどで作られている。
【００２３】
このようにしてブラシ毛材３２がブラシ間部形成柱２２によって６本のブラシ毛材束３２Ｘに束ねられると、当該６本のブラシ毛材束３２Ｘの先端部がブラシ間部形成柱２２より横方向に外方に突出することにより、シャフト１１が塗布液容器１５から引き抜かれたとき、ブラシ間部形成柱２２の外側であってブラシ毛材束３２Ｘによって囲まれた空間が、塗布液を貯める塗布液溜り３５を形成する。
【００２４】
以上の構成において、ユーザがシャフト１１を塗布液容器１５に挿入することにより液取出部１４を塗布液内に浸した状態からシャフト１１を液取出口１６から引き抜くと、液取出口１６に設けられているしごき部１７がシャフト１１及び液取出部１４に付着している余分な塗布液をしごき落とすような動作をする。
【００２５】
この実施の形態の場合、しごき部１７は、図５に示すように、軟質ゴム材で構成された円筒状本体部１７Ａと、その内側空間に斜め下方に突出する円錐台形状の筒状のしごき材１７Ｂとを有し、しごき材１７Ｂの先端開口１７Ｃの内径が、シャフト１１の外径より僅かに小さい値に選択され、これによりシャフト１１に付着した塗布液は実質的にその全部がしごき材１７Ｂによってしごき落とされ、これにより引き抜いた液塗布具本体２からの塗布液のぼた落ちが防止される。
【００２６】
これに対して、ブラシ毛材３２の長さはシャフト１１の外径より長く選定されているので、縦方向に延長する６本のブラシ毛材束３２Ｘの先端部分に付着している塗布液は、各ブラシ毛材３２がしごき部１７のしごき動作によってシャフト１１の引き抜き方向とは逆方向に倒れるようなしごきを受けることにより、当該先端部分の塗布液もしごき材１７Ｂによってしごき落とされる。
【００２７】
このブラシ毛材束３２Ｘに対するしごき材１７Ｂのしごき動作は、先端部の内側からブラシ間部形成柱２２の外表面に至る部分の塗布液溜り３５の部分までには及ばないので、図６に示すように、当該塗布液溜り３５の部分に多量の塗布液３６がしごき残されて液取出部１４に保持された状態になる。
【００２８】
この結果、ユーザは、液取出部１４のうち、縦方向に形成された６本の塗布液溜り３５に残っている多量の塗布液３６をマスカラ供給源として利用して、ブラシ毛材束３２Ｘを構成するブラシ毛材３２によってまつ毛をすくような化粧操作をすることにより、まつ毛に塗布液を濃く塗布することができる。
【００２９】
このようにして塗布した濃いマスカラは、ブラシ毛材束３２Ｘを構成する各ブラシ毛材３２の先端が、そこに付着している少量の薄い塗布液を利用してまつ毛の根元から毛先に行くに従って次第に薄くしているような修正操作をする。
【００３０】
この結果ユーザは自分の好みに応じたボリューム塗布を行うことができ、かくするにつき、１回の簡略な操作をするだけで（何回もシャフト１１を塗布液貯液部３に挿入・引き出し操作をしないでも）、まつ毛に必要かつ十分な量の塗布液を塗布することができる。
【００３１】
（２）第２の実施の形態
図７〜図９は第２の実施の形態の示すもので、図１〜図６との対応部分に同一符号を付して示すように、この場合のブラシ保持部材１２は、その縦方向の長さがブラシ部材１３より短い値に選定されており、その結果ブラシ部材１３の先端部１３Ａがブラシ保持部材１２のブラシ間部形成柱２２より先端方向に突出すると共に、当該先端部１３Ａのブラシ毛材３２の長さが先端方向に行くに従って次第に短くなる（その結果外径形状は円錐台形状になる）ような構成を有する。
【００３２】
この結果、ブラシ部材１３のうち、ブラシ間部形成柱２２が存在する手元側部１３Ａについては、図９（Ａ）に示すようにブラシ毛材３２がブラシ間部形成柱２２によってブラシ突出空隙２３から突出するようにブラシ毛材束３２Ｘに束ねられるのに対して、ブラシ間部形成柱２２が存在しない先端側部１３Ｂにおいては、図９（Ｂ）に示すように、ブラシ毛材３２がブラシ毛材束３２Ｘのように束ねられるような拘束を受けることなく、心材３１から放射状に延長する状態になる。
【００３３】
以上の構成において、ユーザが液塗布具本体２の液取出部１４を塗布液貯液部１３の塗布液容器１５に差し込んだ状態から外部に引き抜くと、塗布液貯液部３のしごき部１７のしごき動作によってシャフト１１及びブラシ部材１３に浸された塗布液がしごき落とされる。
【００３４】
このときブラシ部材１３の手元側部１３Ａはブラシ間部形成柱２２によって６本のブラシ毛材束３２Ｘに束ねられていることにより、当該ブラシ毛材束３２Ｘ間に形成される塗布液溜り３５に塗布液を保持した状態になるのに対して、ブラシ間部形成柱２２と対向していない先端側部１３Ｂのブラシ毛材３２の余分な塗布液はしごき部１７によってしごき落とされることにより、ブラシ毛材３２に付着した塗布液だけを保持する。
【００３５】
以上の構成によれば、ユーザが液取出部１４のうちブラシ保持部材１２のブラシ間部形成柱２２が存在する部分に多量の塗布液を保持した状態で塗布液貯液部３から液塗布具本体２を取り出せることにより、当該塗布液溜り３５の塗布液を利用して１回の操作でまつ毛に濃い塗布液を塗ることができる。
【００３６】
これに対して、ブラシ部材１３の先端側部１３Ｂには少量の塗布液がブラシ毛材３２に付着した状態で残っているだけなので、ユーザはまつ毛に塗り付けられた濃い塗布液をブラシ部材１３の先端側部１３Ｂのブラシ毛材３２を用いてすくような操作をすることにより、濃く塗り付けられた塗布液を先端に行くに従って薄くなるような修正動作をすることができる。
【００３７】
これに加えてブラシ部材１３の先端側部１３Ｂの外径形状を先細りの円錐台形状に形成したことにより、目尻などの細かい部分に薄い塗布液を塗布するような細かい塗布操作をすることができる。
【００３８】
（３）第３の実施の形態
図１０〜図１２は第３の実施の形態を示すもので、図７〜図９との対応部分に同一符号を付して示すように、ブラシ部材３は図７〜図９の場合と同様に、毛の長さがほぼ均一の手元側部１３Ａの先端に、毛の長さが先端に行くに従って短くなるほぼ円錐台形状の先端側部１３Ｂを有する。
【００３９】
これに対してこの実施の形態の場合のブラシ間部形成柱２２の幅は、図１１（Ｂ）に示すように、ブラシ部材１３の手元側部１３Ａに対向する部分において同じ幅を有するのに対して、ブラシ部材１３の先端側部１３Ｂに対応する先端側部２２Ａにおいて、幅が先端に行くに従って徐々に狭くなるように形成されている。
【００４０】
かくしてブラシ部材１３のブラシ毛材３２は、ブラシ部材１３の縦方向の全部について、６本のブラシ間部形成柱２２によって６本のブラシ毛材束３２Ｘを形成すると共に、当該ブラシ毛材束３２Ｘ間においてブラシ間部形成柱２２の外表面部分に塗布液溜り３５を形成する。
【００４１】
以上の構成において、ユーザが塗布液具本体２を塗布液貯液部３の塗布液容器１３に挿入することにより液取出部１４を塗布液に浸した状態にした後、シャフト１１を液取出口１６から引き抜くと、しごき部１７によってシャフト１１及び液取出部１４がしごかれることにより余分な塗布液がしごき落とされる。
【００４２】
このときブラシ部材１３のブラシ毛材３２は、しごき部１７のしごき動作によって縦方向に倒れることにより表面に塗布液が薄く付着した状態になるのに対して、その隣合うブラシ毛材束３２Ｘ間の塗布液溜り３５に塗布液が保持された状態になる。
【００４３】
以上の構成によれば、ブラシ間部形成柱２２がブラシ部材１３の手元側部１３Ａから先端側部１３Ｂに至るまで全体として縦方向に形成されていることにより、当該ブラシ間部形成柱２２の外表面にある塗布液溜り３５に多量の濃い塗布液を保持でき、これにより１回の操作で濃い塗布液をまつ毛に塗布することができる。
【００４４】
かくするにつき、ブラシ間部形成柱２２の先端部の幅が先細りに狭く成形されていることにより、目尻などの細かい部分にも濃い塗布液を塗布できると共に、同様に先細りの形状をもつブラシ部材１３の先端側部１３Ｂを用いて細かい修正操作をすることができる。
【００４５】
かくして全体としてまつ毛にボリューム感のある塗布液を塗布することができる。
【００４６】
（４）第４の実施の形態
図１３〜図１５は、第４の実施の形態を示すもので、図１０〜図１２との対応部分に同一符号を付して示すように、ブラシ部材１３として、ブラシ毛材３２の毛の長さが、シャフト１１から縦方向に行くに従って次第に短くなるように、外観形状が先細りになる構成を有する。
【００４７】
これと共に、図１４（Ｂ）に示すように、ブラシ保持部材１２のブラシ間部形成柱２２の高さも、ブラシ部材１３と同様に、シャフト１１から先端方向に行くに従って次第に幅が狭くなるように先細りの形状を有する。
【００４８】
これに加えて、ブラシ間部形成柱２２の手元側部２２Ｂには、途中の位置Ｐ１からシャフト１１までの間に、多数の横溝４０が切り込まれており、この横溝４０によって液溜りが形成されている。
【００４９】
この実施の形態の場合、塗布液貯液部３のしごき部１７の内径は、ブラシ間部形成柱２２のうち、横溝４０が形成されている手元側部２２Ｂの先端位置における外径とほぼ同じ内径を有し、これによりシャフト１１がしごき部１７から引き出されるとき、シャフト１１及びブラシ間部形成柱２２の手元側部２２Ｂに対しては、付着している塗布液を強くしごき落とすようになされている。
【００５０】
この結果ブラシ間部形成柱２２の手元側部２２Ｂがしごき部１７によってしごされた後には、横溝４０に入っている塗布液がしごき落とされずに少量の薄い塗布液として保持されている。
【００５１】
これに対してしごき部１７が途中の位置Ｐ１より先端側をしごく際には、しごき部１７の内径よりブラシ間部形成柱２２の内径の方が小さいので、ブラシ部材１３の先端側部１３Ｂの先端部の塗布液が先端側に倒れ込むことにより塗布液がしごき落とされるのに対して、ブラシ毛材束３２Ｘ間に、しごき部１７によってはしごき落とされない塗布液が残るようになされている。
【００５２】
以上の構成において、塗布具本体２は、ユーザがシャフト１１を塗布液貯液部３の塗布液に浸した状態から引き抜くと、しごき部１７のしごき動作により、ブラシ間部形成柱２２の横溝４０に比較的薄い塗布液を保持すると共に、ブラシ間部形成柱２２の先端側部１３Ｂの表面に形成されたブラシ液溜り３５に濃い塗布を保持する。
【００５３】
かくしてユーザは、ブラシ間部形成柱２２の先端側部２２Ａに保持された塗布液によってまつ毛に対して塗布液を濃く塗布した後、ブラシ毛材３２の先端部に付着した塗布液によって修正操作をすることができる。
【００５４】
これに加えてブラシ間部形成柱２２の横溝４０に保持された塗布液を用いてまつ毛にカールを与えるような塗布操作をした後、当該手元側部１３Ａのブラシ毛材３２によって修正操作をすることができる。
【００５５】
以上の構成によれば、ユーザが希望する濃さの塗布液をまつ毛に容易に塗布できるような簡便な液塗布具を実現できる。
【００５６】
（５）第５の実施の形態
図１６〜図１９は第５の実施の形態を示すもので、図１〜図６との対応部分に同一符号を付して示すように、液取出部１４を構成するブラシ保持部材１２及びブラシ部材１３のうち、ブラシ保持部材１２の構成が図１〜図６の実施の形態と相違する。
【００５７】
この実施の形態の場合、ブラシ保持部材１２は、図１７（Ｂ）に示すように、ブラシ間部形成柱２２として、その手元側部２２Ｂが、断面三角形状の６本の柱部材が互いに平行に縦方向に延長しており、この構成の点において図１〜図６の場合と同様の構成を有する。
【００５８】
これに対してこの実施の形態の場合、ブラシ間部形成柱２２の手元側部２２Ｂの先端に、修正操作用先端側端部２２ＡＸが形成されている点において図１〜図６の実施の形態と相違する。
【００５９】
この修正操作用先端側端部２２ＡＸはその断面形状において、図１８（Ｂ）に示すように、中心側が断面三角形状でかつ横方向に行くに従って扇形に広がるような形状に成形しているのに対して、当該扇形に広がった先端に断面丸み形状の先端部が形成されている。
【００６０】
これに加えて修正操作用先端側端部２２ＡＸの丸み形状部分は手元側部２２Ｂから縦方向に先端に行くに従って外側に膨出する傾斜部Ｋ１と、その頂点Ｋ２から先端面Ｋ３に内側方向に縮み込むように傾斜する傾斜部Ｋ４とを有し、かくして修正操作用先端側端部２２Ｘの外表面をしごき部１７のしごき部材が通過したとき、修正操作用先端側端部２２ＡＸが内側に押されることにより６本のブラシ間部形成柱２２が中心位置に集まるように湾曲するようになされている。
【００６１】
修正操作用先端側端部２２ＡＸの外表面には横方向に順次並ぶように多数の横溝５０が穿設され、これにより横溝５０内に薄い塗布液を保持するようになされている。
【００６２】
以上の構成において、ユーザがシャフト１１の先端の液取出部１４をしごき部１７を通して塗布液容器１５内の貯蔵塗布液Ｗ０に浸した状態から図１９（Ａ）に示すようにシャフト１１を矢印ａの方向に引き抜いて行くと、まずしごき部１７はシャフト１１の周囲に付着した余分な塗布液Ｗ０をしごき落とす。
【００６３】
その後シャフト１１をさらに引き抜いて行くと、しごき部１７は、図１９（Ｂ）に示すように、シャフト１１からブラシ間形成柱２２の部分をしごく状態になり、このときしごき部１７は６本のブラシ間部形成柱２２の外側をしごいて行く状態になる。
【００６４】
このときしごき部１７は、ブラシ間部形成柱２２間のブラシ毛材束３２Ｘを引き抜き方向ａとは反対側に倒しながらしごき動作をすることにより、ブラシ間部形成柱２２の手元側部２２Ｂにおいて、ブラシ毛材３２が引き抜き方向ａとは逆方向に倒されて余分な塗布液をしごき落とすと共に、ブラシ毛材束３２Ｘ間のブラシ液溜り３５にはしごき残された塗布液でなる保持塗布液Ｗ１を残す。
【００６５】
これに続いてしごき部１７がブラシ間部形成柱２２の修正操作用先端側端部２２Ｘをしごく位置にまで来ると、図１９（Ｃ）に示すように、しごき部１７が外側に膨出する傾斜部Ｋ１を通って頂点Ｋ２をしごくことにより、しごき部１７によって修正操作用先端側端部２２ＡＸが中心方向に押圧されることにより、６本のブラシ間部形成柱２２の先端部が中心方向に集まるように変形される。
【００６６】
このときしごき部１７は、６本のブラシ間部形成柱２２の修正操作用先端側端部２２ＡＸが中心に集めるような動作をすることにより、当該修正操作用先端側端部２２ＡＸ間に入り込んでいた貯液塗布液Ｗ０を塗布液貯液部３に排出して、少量の保持塗布液Ｗ２だけを残す状態になり、その結果余分な塗布液を液塗布具本体２の先端からしごき落とす。
【００６７】
その後図１９（Ｄ）に示すように、しごき部１８が修正操作用先端側端部２２ＡＸの傾斜部Ｋ４をしごいて行くと、当該傾斜部Ｋ４は先細りになるように傾斜していることにより、しごき部１７から修正操作用先端側端部２２ＡＸに外側から与えられる押圧力が小さくなっていくことにより、６本のブラシ間部形成柱２２の先端部が、その弾発力によって変形のないもとの状態に戻っていく。
【００６８】
このように、しごき部１７が修正操作用先端側端部２２ＡＸ上を先端方向にしごき動作をしたとき、横溝５０内に薄い塗布液Ｗ３をしごき残す。
【００６９】
以上の構成によれば、ユーザが塗布液容器１５から１回の引き抜き操作をするだけで、ブラシ間部形成柱２２の手元側部２２Ｂ部分に多量の濃い塗布液が保持塗布液Ｗ１として保持されることにより、ユーザは当該濃い保持塗布液Ｗ１を用いてまつ毛に塗布液を濃く塗布することができると共に、ブラシ毛材３２の先端に濡れた状態に残る薄い塗布液を用いて、ブラシ部材１３によってまつ毛をすくような操作をすることにより、まつ毛１本１本に先端に行くに従って薄くなるように塗布する修正操作をすることができる。
【００７０】
これに加えて、ブラシ間部形成柱２２の先端部の横溝５０に少量の薄い塗布液が修正操作用塗布液Ｗ３として保持されていることにより、ユーザはブラシ毛材３２から露出した修正操作用先端側端部２２ＡＸの外側の表面を利用してまつ毛に塗布された塗布液の修正操作を行うことができる。
【００７１】
かかる修正操作をするつき、６本の修正操作用先端側端部２２ＡＸ間には余分な塗布液が残っていないので、ユーザがシャフト１１を引き抜いたとき、当該余分な塗布液がボタ落ちするようなおそれを有効に回避し得る。
【００７２】
かくして図１６〜図１９の実施の形態によれば、ユーザが希望する多様な化粧操作を実現できるような液塗布具を実現し得る。
【００７３】
（６）他の実施の形態
上述の実施の形態においては、塗布対象形としてまつ毛にマスカラを塗布する場合について述べたが、本発明はこれに限らず、例えば毛髪や眉毛に毛染め液を塗布する場合など、要するに人の毛に塗布液を塗布するための液塗布具に広く適用し得る。
【産業上の利用可能性】
【００７４】
本発明は、塗布対象毛に好みに応じた濃さの塗布液を塗布する場合に適用できる。
【図面の簡単な説明】
【００７５】
【図１】第１の実施の形態の液塗布具を示す斜視図である。
【図２】（Ａ）は図１のブラシ保持部材１２を先端側から見た正面図、（Ｂ）はそのＡ１−Ａ１断面図である。
【図３】（Ａ）は図１のブラシ部材１３を先端側から見た正面図、（Ｂ）はそのＡ２−Ａ２断面図である。
【図４】（Ａ）は図１の液塗布具本体２を先端側から見た正面図、（Ｂ）はそのＡ３−Ａ３断面図である。
【図５】（Ａ）及び（Ｂ）はしごき部１７の側面図及びＡ４−Ａ４断面図である。
【図６】図４（Ｂ）のＢ３−Ｂ３断面図における塗布液の保持状態の説明に供する断面図である。
【図７】第２の実施の形態の液塗布具を示す斜視図である。
【図８】（Ａ）は図６の液塗布具本体を先端側から見た正面図、（Ｂ）はそのＡ５−Ａ５断面図である。
【図９】（Ａ）及び（Ｂ）は、図８（Ｂ）のＢ５−Ｂ５断面及びＣ５−Ｃ５断面における塗布液の保持状態の説明に供する断面図である。
【図１０】第３の実施の形態による液塗布具を示す斜視図である。
【図１１】（Ａ）は図１０の液塗布具本体２を先端から見た正面図、（Ｂ）はそのＡ６−Ａ６断面図である。
【図１２】（Ａ）及び（Ｂ）は図１１（Ｂ）のＢ６−Ｂ６断面及びＣ６−Ｃ６断面における塗布液の保持状態の説明に供する断面図である。
【図１３】第４の実施の形態による液塗布具を示す斜視図である。
【図１４】（Ａ）は図１３の液塗布具本体を先端側から見た正面図、（Ｂ）はそのＡ７−Ａ７断面図である。
【図１５】（Ａ）及び（Ｂ）は図１４（Ｂ）のＢ７−Ｂ７断面及びＣ７−Ｃ７断面における塗布液の保持状態の説明に供する断面図である。
【図１６】第５の実施の形態による液塗布具を示す斜視図である。
【図１７】（Ａ）は図１６の液塗布具本体を先端からみて示す正面図、（Ｂ）はそのＡ８−Ａ８断面図である。
【図１８】（Ａ）及び（Ｂ）は図１７（Ｂ）のＢ８−Ｂ８断面及びＣ８−Ｃ８断面における塗布液の保持状態の説明に供する断面図である。
【図１９】（Ａ）〜（Ｄ）は図１７のＡ８−Ａ８断面における塗布液のしごき動作の説明に供する断面図である。
【図２０】従来の構成を示す斜視図である。
【符号の説明】
【００７６】
１……液塗布具、２……液塗布具本体、３……塗布液貯液部、１１……シャフト、１２……ブラシ保持部材、１３……ブラシ部材、１４……液取出部、１５……塗布液容器、１６……液取出口、１７……しごき部、２０……先端面、２１……ブラシ取付孔、２２……ブラシ間部形成柱、２３……ブラシ突出空隙、２４……キャップ、２５……締付ねじ、２６……係合ねじ、３１……心線、３２……ブラシ毛材、３２Ｘ……ブラシ毛材束、３５……塗布液溜り、３６……塗布液、４０……横溝。
【図１】
2007229138.tif 000003
【図２】
2007229138.tif 000004
【図３】
2007229138.tif 000005
【図４】
2007229138.tif 000006
【図５】
2007229138.tif 000007
【図６】
2007229138.tif 000008
【図７】
2007229138.tif 000009
【図８】
2007229138.tif 000010
【図９】
2007229138.tif 000011
【図１０】
2007229138.tif 000012
【図１１】
2007229138.tif 000013
【図１２】
2007229138.tif 000014
【図１３】
2007229138.tif 000015
【図１４】
2007229138.tif 000016
【図１５】
2007229138.tif 000017
【図１６】
2007229138.tif 000018
【図１７】
2007229138.tif 000019
【図１８】
2007229138.tif 000020
【図１９】
2007229138.tif 000021
【図２０】
2007229138.tif 000022